(57)【特許請求の範囲】
【請求項１】
弾性部材が連続して配置されているウエブを伸長した状態で搬送しながら前記ウエブを使い捨て着用物品単位に切断する切断装置であって、
前記ウエブを保持する保持面を有し、前記保持面とともに前記ウエブを搬送する保持搬送機構と、
前記保持搬送機構に保持された状態で搬送される前記ウエブを、前記ウエブの搬送方向に交差する交差方向に沿って第１の切断を行うとともに、前記第１の切断から所定の距離を隔てて前記交差方向に沿って第２の切断を行う切断機構と
を備え、
前記保持面は、
前記第１の切断と前記第２の切断との間において、前記交差方向に沿って前記ウエブを保持する主保持領域と、
前記主保持領域の前記搬送方向上流側または下流側の少なくとも何れかにおいて、前記主保持領域よりも弱い保持力で前記ウエブを保持する補助保持領域と
を有する切断装置。
【請求項２】
前記保持搬送機構は、
吸気孔が形成された前記保持面を有する保持パッド部と、
前記保持パッド部と連通し、前記吸気孔を介して空気を吸引する吸引部と
を含む請求項１に記載の切断装置。
【請求項３】
前記主保持領域と接触する前記ウエブの通気度は、前記補助保持領域と接触する前記ウエブの通気度よりも低い請求項２に記載の切断装置。
【請求項４】
少なくとも前記第１の切断のときに、前記ウエブの一部を前記保持搬送機構に向けて押さえつける押さえ手段を有する請求項１に記載の切断装置。
【請求項５】
前記保持面には、凹凸が形成されている請求項１乃至４の何れか一項に記載の切断装置。
【請求項６】
前記使い捨て着用物品は、液体を吸収する吸収体を有し、
前記保持パッド部には、前記吸収体の形状に沿った凹部が形成されている請求項２乃至５に記載の切断装置。
【請求項７】
前記補助保持領域の摩擦力は、前記主保持領域の摩擦力よりも大きい請求項１に記載の切断装置。
【請求項８】
前記切断機構によって使い捨て着用物品単位に切断された前記ウエブの向きを変更する反転装置を更に備え、
前記反転装置は、前記ウエブの搬送方向に直交する直交方向に沿った回動軸を有する回転パット支持ドラムを有し、
前記回転パット支持ドラムの外周部には、前記切断機構によって使い捨て着用物品単位に切断された前記ウエブを保持する保持面を備える回転パッド部が所定間隔毎に複数設けられ、
前記回転パッド部は、前記回転パッド部に備えられる前記保持面を前記回転パット支持ドラムの径方向外側に向けた状態において、前記回転パッド部に備えられる前記保持面を少なくとも９０度回転させる請求項１乃至７の何れか一項に記載の切断装置。
【請求項９】
前記ウエブは、
着用者の胴回りに対応する胴回り部と、
前記着用者の股下に対応する股下部と
を有し、
前記ウエブ上において、互いに隣接する前記股下部の間には、空隙が設けられている請求項１乃至８の何れか一項に記載の切断装置。
【発明の詳細な説明】
【技術分野】
【０００１】
本発明は、弾性部材を含む使い捨て着用物品が連続したウエブを伸長した状態で搬送しながら使い捨て着用物品毎に切断する切断装置に関する。
【背景技術】
【０００２】
従来、使い捨ておむつなどの使い捨て着用物品の製造過程では、使い捨て着用物品がその幅方向に連続したウエブを搬送しながら使い捨て着用物品毎に切断する切断装置が広く用いられている（例えば、特許文献１）。
【０００３】
このような切断装置では、使い捨て着用物品の寸法に対応した吸着パッドが外周上に複数設けられた回転ドラムが用いられる。吸着パッドによって保持されたウエブは、回転するカッターロールに設けられた刃によって使い捨て着用物品単位に切断される。具体的には、カッターロールに設けられた刃は、使い捨て着用物品の幅に相当する所定間隔毎に、吸着パッドに保持された状態で搬送されるウエブに当接し、ウエブを切断する。
【先行技術文献】
【特許文献】
【０００４】
【特許文献１】特開２００６−２３０４３８号公報（第８頁、第１図）
【発明の概要】
【発明が解決しようとする課題】
【０００５】
ところで、使い捨ておむつなどの使い捨て着用物品には、着用者とのフィット性を高めるために、糸状の弾性部材を複数用いて形成されたギャザーが設けられるのが一般的である。回転ドラムによって搬送されるウエブは、ある程度伸長された状態で吸着パッドによって保持されているため、カッターロールによって使い捨て着用物品の幅方向の一端が切断されると、ギャザーが解放され、解放されたギャザーは、使い捨て着用物品の幅方向の他端に向かって収縮する。
【０００６】
ここで、使い捨て着用物品の幅方向の一端が切断された時点では、幅方向の他端は、まだ切断されていないため、ギャザーの収縮によって、使い捨て着用物品が幅方向他端側にずれ、使い捨て着用物品の製品の中心位置の間隔が等間隔でなくなる。すなわち、切断後に搬送される使い捨て着用物品の間隔が等間隔でなくなるため、切断よりも後に行われる使い捨て着用物品をパッケージングする工程に向けて安定的に搬送できないだけでなく、正確なパッケージングが行えないことがあった。
【０００７】
また、使い捨て着用物品の幅方向一端側の長さが短くなり、幅方向一端側の長さと、幅方向他端側の長さとが不均等になる問題が生じる。このような場合には、使い捨て着用物品の外観が幅方向で非対称になるため、製品美観を損なうだけでなく、個々の使い捨て着用物品の形状が不均一となるため、パッケージング後の形態がいびつな形になってしまうという問題もあった。
【０００８】
そこで、本発明は、使い捨て着用物品の幅方向一端側と他端側の長さが不均等なことに起因する搬送時に使い捨て着用物品の中心位置の間隔が不規則になるという不都合、及び外観品質の低下や製造時の不都合を解消し得る切断装置の提供を目的とする。
【課題を解決するための手段】
【０００９】
上述した課題を解決するため、本発明は、次のような特徴を有している。本発明の特徴は、弾性部材が連続して配置されているウエブ（ウエブＷ）を伸長した状態で搬送しながら前記ウエブを使い捨て着用物品（使い捨ておむつＰ）単位に切断する切断装置（切断装置１）であって、前記ウエブを保持する保持面（保持面３２Ａ）を有し、前記保持面とともに前記ウエブを搬送する保持搬送機構（保持搬送機構３０）と、前記保持搬送機構に保持された状態で搬送される前記ウエブを、前記ウエブの搬送方向に交差する交差方向に沿って第１の切断を行うとともに、前記第１の切断から所定の距離を隔てて前記交差方向に沿って第２の切断を行う切断機構（切断機構２０）とを備え、前記保持面は、前記第１の切断と前記第２の切断との間において、前記交差方向に沿って前記ウエブを保持する主保持領域（主保持領域３０１）と、前記主保持領域の前記搬送方向上流側または下流側の少なくとも何れかにおいて、前記主保持領域よりも弱い保持力で前記ウエブを保持する補助保持領域（補助保持領域３０２）とを有することを要旨とする。
【発明の効果】
【００１０】
本発明の特徴によれば、使い捨て着用物品の幅方向一端側と他端側の長さが不均等なことに起因する搬送時に使い捨て着用物品の中心位置の間隔が不規則になるという不都合、及び外観品質の低下や製造時の不都合を解消し得る切断装置を提供することができる。
【図面の簡単な説明】
【００１１】
【図１】図１は、本発明の実施形態に係る切断装置１をウエブＷの搬送方向に直交する直交方向からみた側面図である。
【図２】図２は、本実施形態に係る切断装置１における保持搬送機構３０の一部、切断機構２０及び搬送機構１０をウエブＷの搬送方向に直交する直交方向からみた側面図である。
【図３】図３は、図２に示す領域Ｓの拡大斜視図である。
【図４】図４は、保持パッド部３２を説明する斜視図である。
【図５】図５は、本実施形態に係る切断装置１によって使い捨ておむつＰの連続体（ウエブＷ）を切断する様子を説明する模式図である。
【発明を実施するための形態】
【００１２】
次に、本発明に係る切断装置の実施形態について、図面を参照しながら説明する。以下の図面の記載において、同一または類似の部分には、同一または類似の符号を付している。ただし、図面は模式的なものであり、各寸法の比率などは現実のものとは異なることに留意すべきである。
【００１３】
したがって、具体的な寸法などは以下の説明を参酌して判断すべきである。図面相互間においても互いの寸法の関係や比率が異なる部分が含まれ得る。また、以下の説明において、同様の作用効果を有する構成については、同一の番号を付けて詳細な説明は省略する。
【００１４】
（実施形態）
本発明の実施形態に係る切断装置１の概略について説明する。図１は、本発明の実施形態に係る切断装置１をウエブの搬送方向に直交する直交方向からみた側面図である。
【００１５】
図１に示すように、切断装置１は、使い捨て着用物品の製造工程に沿った搬送方向ＭＤに連続体（ウエブＷという）を送り、後述する切断機構２０及び保持搬送機構３０に導く搬送機構１０と、ウエブＷを所定の位置で切断する切断機構２０と、切断前のウエブＷを保持しながら搬送方向ＭＤに搬送するとともに、切断された後の使い捨ておむつＰを搬送方向ＭＤに搬送する保持搬送機構３０とを有する。また、切断装置１は、切断された後の使い捨て着用物品を保持搬送機構３０から反転装置６０へと受け渡す第１受渡機構４０と第２受渡機構５０と、切断された使い捨て着用物品の向きを変更する反転装置６０とを有する。
【００１６】
本実施形態では、使い捨て着用物品は、着用者の胴回りに対応する胴回り部と、着用者の股下に対応する股下部とを有する使い捨ておむつＰである（図５を参照して、詳細は後述する）。
【００１７】
次に、切断装置１の各構成について説明する。図２は、本実施形態に係る切断装置１における搬送機構１０、切断機構２０、及び保持搬送機構３０の一部をウエブＷの搬送方向に直交する直交方向からみた側面図である。
【００１８】
図２に示すように、搬送機構１０は、ウエブＷを搬送するベルトコンベアー１１と、搬送されるウエブＷを切断機構２０及び保持搬送機構３０に導く大径ロール１２と、ウエブＷの一部を保持搬送機構３０に押さえつける押さえベルト１４とを有する。本実施形態において、押さえベルト１４は、押さえ手段を構成する。
【００１９】
押さえベルト１４は、大径ロール１４と、小径ロール１５ａ，１５ｂ，１５ｃとに巻回されている。保持搬送機構３０と、大径ロール１４と、小径ロール１５ａとは、大径ロール１４の外周面と小径ロール１５ａの外周面とに共通な接線Ｌｃが保持搬送機構３０の外周面と交差するように配置されている。
【００２０】
このため、押さえベルト１４は、小径ロール１５ｃから大径ロール１４までの区間では、ウエブＷの非連続部分Ｗｄ（図３参照）をベルトコンベアー１１とともに挟みながらウエブＷを搬送し、大径ロール１４と小径ロール１５ａとの間の区間では、ウエブＷの一部を保持搬送機構３０の外周面（後述する保持パッド部３２の表面）とともに挟みながらウエブＷを搬送している。具体的に、押さえベルト１４は、ウエブＷの搬送方向ＭＤの下流側を切断する（後述する第１の切断）ときには、ウエブＷの非連続部分Ｗｄを保持搬送機構３０の外周面（後述する主保持領域３０１）を保持している。
【００２１】
次に、切断機構２０について説明する。切断機構２０は、回転式のカッターであり、切断機構２０の回動軸（不図示）が搬送方向ＭＤに直交する直交方向に一致するように配設されている。切断機構２０の所定位置には、搬送方向ＭＤに交差する交差方向に沿ってカッター２１とカッター２２とが配設されている。
【００２２】
保持搬送機構３０は、搬送方向ＭＤに直交する直交方向に沿った回動軸を有する回転ドラム３１と、回転ドラム３１の外周部に設けられる保持パッド部３２とを有する。保持パッド部３２は、回転ドラム３１の外周部に複数配設される。保持パッド部３２は、ウエブＷを切断する前後において、ウエブＷ（切断後においては使い捨ておむつＰ）を保持している。
【００２３】
複数の保持パッド部３２の間には、アンビル３３が配設されている。アンビル３３は、上述したカッター２１，２２に対応する受け刃である。切断機構２０及び保持搬送機構３０は、ウエブＷがない状態において、切断機構２０に配設されたカッター２１，２２と保持搬送機構３０に配設されたアンビル３３とが互いに当接するように配置されている。
【００２４】
切断機構２０は、ウエブＷを保持搬送機構３０と押さえベルト１７との間に保持した状態で搬送しながら、ウエブＷの搬送方向ＭＤに交差する交差方向に沿って、カッター２１とアンビル３３とによって第１の切断を行う。第１の切断の後、切断機構２０及び保持搬送機構３０が回転し、第１の切断から所定の距離を隔てて、カッター２２とアンビル３３とによって、交差方向に沿って第２の切断を行う。ここで、所定の距離には、保持パッド部３２の搬送方向ＭＤに沿った長さが含まれる。また、アンビル３３の間隔が含まれる。
【００２５】
次に、保持搬送機構３０について説明する。保持搬送機構３０は、回転ドラム３１と、回転ドラム３１の外周部に配設された保持パッド部３２とを有する。保持パッド部３２は、図示しない吸引ポンプに連結される。
【００２６】
本実施形態では、保持搬送機構３０と反転装置６０とは、第１受渡機構４０及び第２受渡機構５０によって連結されている。第１受渡機構４０は、搬送面に貫通孔が形成されたベルトコンベヤーであり、貫通孔から外気を吸引する吸引機構を備えたサクションボックス４１を備える。これにより、第１受渡機構４０は、ウエブＷを吸着しながら搬送する。第２受渡機構５０は、第１受渡機構４０のサクションボックス４１のウエブＷが吸着されない区間において、ウエブＷを支持しながら搬送する。
【００２７】
次に、反転装置６０について説明する。反転装置６０は、搬送方向ＭＤに直交する直交方向に沿った回動軸を有する回転パット支持ドラム６１と、回転パット支持ドラム６１の外周部に設けられる回転パッド部６２とを有する。回転パッド部６２は、回転パット支持ドラム６１の外周部に複数配設される。反転装置６０は、保持搬送機構３０と同様の機構に加えて、回転パッド部６２が回転パット支持ドラム６１の外周面内において回転可能に構成されている。
【００２８】
回転パッド部６２は、回転パット支持ドラム６１の外周部において、回転パッド部６２の使い捨ておむつＰを保持する保持面が回転ドラム６１の径方向外側を向くように、回転パッド部６２を支持した状態において、保持面を少なくとも９０度回転させる。すなわち、反転装置６０は、切断された使い捨ておむつＰの搬送方向ＭＤに対する向きを変更することができる。例えば、複数配設された回転パッド部６２を一つおきに１８０°回転させて搬送する。
【００２９】
続いて、保持パッド部３２について、具体的に説明する。図３は、図２に示す領域Ｓの拡大斜視図である。図４は、保持パッド部３２を説明する斜視図である。図３には、使い捨ておむつＰが連続したウエブＷが仮想線で示されている。ウエブＷは、押さえベルト１７によって保持搬送機構３０の保持パッド部３２に押し付けられた状態で搬送される。また、ウエブＷは、押さえベルト１７によって保持搬送機構３０の保持パッド部３２に押し付けられた状態で、切断機構２０によって使い捨ておむつＰ単位に切断される。
【００３０】
図４に示すように、保持パッド部３２は、吸気孔３１０ａ、３１０ｂ、３１０ｃが形成された保持面３２Ａを有する。吸気孔３１０ａ、３１０ｂ、３１０ｃは、図示しない吸引部と連通されている。このため、吸気孔３１０ａ、３１０ｂ、３１０ｃから空気が吸引される。本実施形態では、吸気孔３１０ａ、３１０ｂ、３１０ｃの孔径は互いに異なっている。
【００３１】
保持搬送機構の保持面３２Ａは、主保持領域３０１と補助保持領域３０２とを有する。主保持領域３０１は、保持パッド部３２の直交方向ＣＤに沿ってウエブＷを保持する。また、補助保持領域３０２は、主保持領域３０１の搬送方向ＭＤの上流側または下流側に位置する。
【００３２】
本実施形態では、補助保持領域３０２は、主保持領域３０１よりも弱い保持力（すなわち吸引力）になるように設定されている。具体的には、主保持領域３０１に形成される吸気孔３１０ｂ、３１０ｃの孔径は、補助保持領域３０２に形成される吸気孔３１０ａの孔径よりも大きい。
【００３３】
ここで、使い捨ておむつＰの特徴について説明する。図５は、本実施形態に係る切断装置１によって使い捨ておむつＰの連続体（ウエブＷ）を切断する様子を説明する模式図である。
【００３４】
本実施形態では、使い捨て着用物品は、使い捨ておむつＰである。使い捨ておむつＰ（使い捨ておむつ１００と同じ）は、着用者の胴回りに対応する胴回り部１０１と、着用者の股下に対応する股下部１０２とを有する。使い捨ておむつＰの少なくとも股下部１０２には、尿・便などの排出物を吸収する吸収体１１０が配設されている。また、使い捨ておむつＰの胴回り部１０１には、弾性部材１１１が搬送方向ＭＤに沿って連続して配置されたギャザーが形成されている。
【００３５】
ウエブＷは、使い捨ておむつＰ（使い捨ておむつ１００）が胴回り部１０１において互いに連結されたものである。ウエブＷにおいて、互いに隣接する股下部１０２の間には、空隙ＡＲが形成されている。空隙ＡＲは、切断後の使い捨ておむつ１００のレッグホール１０３を構成する。ウエブＷは、搬送方向ＭＤに伸長された状態で搬送されながら、切断機構２０によって使い捨ておむつＰ単位に切断される。
【００３６】
保持搬送機構３０において、ウエブＷは、切断後の使い捨ておむつＰと保持パッド部３２とが対応するように配置される。主保持領域３０１には、ウエブＷの吸収体１１０が配設された領域が対応している。また、補助保持領域３０２には、ウエブＷの胴回り部１０１が対応している。
【００３７】
本実施形態では、保持パッド部３２は、上述したウエブＷ（使い捨ておむつＰ）の構造上の特徴に合わせて、使い捨ておむつＰを保持しやすい表面形状に加工されている。すなわち、保持パッド部３２の保持面３２Ａには、凹凸が形成されている。
【００３８】
図５を用いて説明したように、使い捨ておむつＰの股下部１０２には、吸収体１１０が配設されるため、股下部１０２の厚みは、胴回り部１０１の厚みよりも厚い。本実施形態では、主保持領域３０１は、補助保持領域３０２よりも回転ドラム３１の径方向中心に向けて凹んでいる。
【００３９】
主保持領域３０１と接触するウエブＷの一部には吸収体１１０が配設されているため、ウエブＷの通気度が補助保持領域３０２と接触するウエブＷの通気度よりも低い。そこで、上述のように、主保持領域３０１における保持力（吸引力）が補助保持領域３０２における保持力よりも強くなるように設定されている。
【００４０】
また、補助保持領域３０２の摩擦力は、主保持領域３０１の摩擦力よりも大きい。一例として、主保持領域３０１の表面には、表面粗さを粗くする加工が施されている。また、補助保持領域３０２の表面には、テフロン（登録商標）加工など、切断後の胴回り部１０１が滑りやすい加工が施されている。
【００４１】
また、保持パッド部３２の保持面３２Ａは、搬送方向ＭＤ、直交方向ＣＤの何れの断面においても回転ドラム３１の径方向外側に向けて凸になるような曲面形状に形成されている。
【００４２】
以上説明したように、本実施形態に係る切断装置１によれば、ウエブＷを保持する保持搬送機構３０の保持面（保持パッド部３２の保持面３２Ａ）には、ウエブＷを保持する主保持領域３０１と、主保持領域３０１の搬送方向ＭＤの上流側または下流側の少なくとも何れかにおいて、主保持領域３０１よりも弱い保持力でウエブＷを保持する補助保持領域３０２とを有することにより、ウエブＷから使い捨ておむつＰを切断する際に、ウエブＷの使い捨ておむつＰに相当する領域を主保持領域３０１と補助保持領域３０２とで保持できる。
【００４３】
このため、使い捨ておむつＰの一方の端部がウエブＷから切断されても、胴回り部１０１に形成されるギャザーが使い捨ておむつＰの幅方向の他端に向かって収縮することを防止できる。
【００４４】
従って、使い捨ておむつＰの幅方向の一端側と他端側の長さが不均等なことに起因する外観品質の低下や製造時の不都合を解消することができる。
【００４５】
主保持領域３０１及び補助保持領域３０２には、吸引部に連通された貫通孔（吸気孔）が形成されているため、主保持領域３０１及び補助保持領域３０２にウエブＷ（使い捨ておむつＰ）を確実に保持することができる。
【００４６】
使い捨ておむつＰの主保持領域３０１と接触するウエブＷの一部には吸収体１１０が配設されているため、ウエブＷの通気度が補助保持領域３０２と接触するウエブＷの通気度よりも低くなっている。本実施形態では、ウエブＷ（使い捨ておむつＰ）の通気度が低い部分に対応する主保持領域３０１における保持力（吸引力）が補助保持領域３０２における保持力よりも強くなるように設定されている。そのため、保持パッド部３２の中央部分において、ウエブＷ（使い捨ておむつＰ）を確実に保持することができる。
【００４７】
また、ウエブＷの一部は、切断機構２０の前には、保持搬送機構３０と押さえベルト１７とで挟まれているため、使い捨ておむつＰをウエブＷから切断するとき、確実にウエブＷ（使い捨ておむつＰ）を保持することができ、切断後の使い捨ておむつＰの仕上がり形状が不均等になることを防止できる。
【００４８】
また、補助保持領域３０２における保持力（吸引力）は、主保持領域３０１よりも低く設定されている。更に、補助保持領域３０２の摩擦力は、主保持領域３０１の摩擦力よりも大きくなるような加工が施されている。
【００４９】
このため、弾性部材１１１が配置された使い捨ておむつＰの胴回り部１０１がウエブＷから切断された後に、使い捨ておむつＰの中央部（すなわち吸収体１１０が配設されている股下部１０２）側に向けて緩やかに戻ることを許容する。
【００５０】
従って、切断後の使い捨ておむつＰの胴回り部１０１に不要な応力が係ることを防止することができ、切断後の使い捨ておむつＰの仕上がり形状が不自然な形態になることを防止できる。
【００５１】
保持パッド部３２の保持面３２Ａは、ウエブＷ（使い捨ておむつＰ）の構造上の特徴に合わせて、使い捨ておむつＰを保持しやすい表面形状に加工されている。すなわち、主保持領域３０１は、補助保持領域３０２よりも回転ドラム３１の径方向中心に向けて凹んでいる。このため、使い捨ておむつＰの吸収体１１０が配設される領域が凹部に嵌るため、ウエブＷ（使い捨ておむつＰ）が保持パッド部３２の保持面３２Ａに配置された際、搬送方向ＭＤ又は直交方向ＣＤへのずれが生じ難い。従って、使い捨ておむつＰをウエブＷから切断するとき、確実にウエブＷ（使い捨ておむつＰ）を保持することができる。
【００５２】
本実施形態では、反転装置６０は、例えば、複数配設された回転パッド部６２を一つおきに１８０°回転させて搬送する。このようにすると、包装パッケージＱに収容される使い捨ておむつＰの向きを入れ子にすることができる。使い捨ておむつＰの厚みは、胴回り部１０１と股下部１０２とで異なっているため、包装パッケージＱに収容される使い捨ておむつＰの向きを入れ子にすることにより、包装パッケージＱの嵩を抑え、パッケージ後の形態の見栄えを美しくできる。
【００５３】
（その他の実施形態）
上述したように、本発明の実施形態を通じて本発明の内容を開示したが、この開示の一部をなす論述及び図面は、本発明を限定するものであると理解すべきではない。この開示から当業者には様々な代替実施の形態、実施例及び運用技術が明らかとなる。
【００５４】
例えば、本発明の実施形態は、次のように変更することができる。本実施形態では、保持搬送機構３０に保持したウエブＷを切断し、切断してできた使い捨ておむつＰを第１受渡機構４０及び第２受渡機構５０により、反転装置６０へ搬送する構成について説明した。
【００５５】
本実施形態では、ウエブＷの搬送方向ＭＤの下流側を切断する（後述する第１の切断）ときには、ウエブＷの一部（非連続部分Ｗｄ）を保持搬送機構３０の外周面（後述する主保持領域３０１）に向けて押さえつける押さえ手段として、押さえベルト１４を用いると説明した。しかし、図２に示す構成に限定されない。ベルト以外の手段を用いてもよい。
【００５６】
反転装置６０における回転角度は、１８０°に限定されない。包装パッケージＱへ封入する際の使い捨ておむつＰの向きに応じて、適宜変更することができる。例えば、回転パッド部６２の回転角度を９０°と２７０°とに交互に設定してもよい。反転装置６０は必ずしも設ける必要はない。
【００５７】
また、第１受渡機構４０及び第２受渡機構５０は必ずしも必要ない。例えば、保持搬送機構３０の配設位置に反転装置６０を配設してもよい。このようにすれば、切断後の使い捨ておむつＰは、搬送されながら搬送方向ＭＤに対する向きを変更することができる。
【００５８】
本実施形態では、主保持領域３０１に形成される吸気孔３１０ｂ、３１０ｃの孔径は、補助保持領域３０２に形成される吸気孔３１０ａの孔径よりも大きいとしている。
【００５９】
しかし、空隙７１に仕切をつくり、主保持領域３０１に形成される貫通孔と補助保持領域３０２に形成される貫通孔とが吸引力の異なる吸引ポンプに連通されるように構成することにより、主保持領域３０１における保持力（吸引力）を補助保持領域３０２における保持力よりも強くすることもできる。
【００６０】
このように、本発明は、ここでは記載していない様々な実施の形態などを含むことは勿論である。したがって、本発明の技術的範囲は、上述の説明から妥当な特許請求の範囲に係る発明特定事項によってのみ定められるものである。
【符号の説明】
【００６１】
１…切断装置、  １０…搬送機構、  １１，１２…ロール、  １３…無端ベルト、  １４…大径ロール、  １５ａ，１５ｂ，１５ｃ…小径ロール、  １６…押さえロール、  １７…押さえベルト、  ２０…切断機構、  ２１，２２…カッター、  ３０…保持搬送機構、  ３１…回転ドラム、  ３２…保持パッド部、  ３２Ａ…保持面、  ３３…アンビル、  ３４…固定部、  ３５…可動部、  ４０…第１受渡機構、  ４１，４２，４３…ロール、  ４４…無端ベルト、  ４５ａ，４５ｂ…サクションボックス、  ５０…第２受渡機構、  ５１，５２…ロール、  ５３…無端ベルト、
６０…反転装置、  ６１…回転ドラム、  ６２…回転パッド部、  ７０…吸引部、  ７１，７２，７３…空隙、  ７４…吸引管、  １０１…胴回り部、  １０２…股下部、  １０３…レッグホール、  １１０…吸収体、  １１１…弾性部材、  ３０１…主保持領域、  ３０２…補助保持領域、  ３１０ａ，３１０ｂ、３１０ｃ…吸気孔、  ＡＲ…空隙、  ＣＤ…直交方向、  ＭＤ…搬送方向、  Ｌｃ…接線、  Ｑ…包装パッケージ、  Ｗ…ウエブ
【図１】
0005508034.tif 000002
【図２】
0005508034.tif 000003
【図３】
0005508034.tif 000004
【図４】
0005508034.tif 000005
【図５】
0005508034.tif 000006